【事件の表示】
　平成　８年特許願第３２６２５６号「偏光照明装置および投写型表示装置」拒絶査定不服審判事件〔平成１０年　６月２６日出願公開、特開平１０−１７０８６９〕について、次のとおり審決する。
【結　論】
　本件審判の請求は、成り立たない。
【理　由】
１．手続の経緯・本願発明 
　本願は、平成８年１２月６日の出願であって、平成１６年１０月２８日付けで拒絶査定がなされ、これに対し、同年１２月８日に拒絶査定不服の審判が請求されるとともに、平成１７年１月５日に手続補正がなされたものである。そして、その請求項に係る発明は、平成１７年１月５日付け手続補正書で補正された明細書及び図面の記載からみて、その特許請求の範囲の請求項１ないし８に記載された事項により特定されたものであると認められるところ、請求項１に係る発明は次のものである。
　 
「光源と、 
　前記光源から出射された光束を、複数のレンズによって複数の中間光束に分割して複数の２次光源像を形成する光束分割手段と、 
　前記複数の中間光束のそれぞれを第１の偏光光束と第２の偏光光束とに分離してそれぞれの偏光光束を略同じ方向に出射する偏光分離手段と、 
　前記偏光分離手段により分離された第１の偏光光束または第２の偏光光束のうちいずれか一方の偏光光束の偏光方向と他方の偏光光束の偏光方向とを揃える偏光変換手段とを有しており、 
　前記偏光分離手段内には、前記光束分割手段によって形成された複数の２次光源像のそれぞれから、第１の偏光光束及び第２の偏光光束による一対の２次光源像が形成され、 
　前記偏光分離手段内に形成される第１の２次光源像及び第２の２次光源像が互いに重なり合わないようにかつ密接して行方向、列方向に配置されるように、前記光束分割手段の複数のレンズ特性及び前記偏光分離手段 
の形状を設定したことを特徴とする偏光照明装置。」（以下、「本願発明」という。） 
　 
２．刊行物の記載事項  
　原査定の拒絶の理由で引用された特開平８−３０４７３９号公報（以下、「引用例」という。）には、図面とともに、以下の事項が記載されている。
 
(a) 
「【請求項１】 偏光方向がランダムな光を出射する光源部と、 
矩形状の外形を有する複数の矩形集光レンズから構成され、前記光源部から出射される光を集光して複数の２次光源像を形成するための第１のレンズ板と、 
前記複数の２次光源像が形成される位置の近傍に置かれ、集光レンズアレイ、偏光分離プリズムアレイ、λ／２位相差板、および出射側レンズを備えた第２のレンズ板とを有し、 
前記集光レンズアレイは複数の集光レンズからなり、 
前記偏光分離プリズムアレイは、ランダムな偏光光をＰ偏光光とＳ偏光光に分離するものであって、複数の偏光ビームスプリッタと複数の反射ミラーから構成され、 
前記λ／２位相差板は前記偏光分離プリズムアレイの出射面の側に配置されており、 
前記出射側レンズは前記λ／２位相差板の出射面の側に配置されていることを特徴とする偏光照明装置。」 
　 
(b) 
「【請求項３】 請求項１において、前記第２のレンズ板を構成する前記の複数の偏光ビームスプリッタは、前記第１のレンズ板を構成する前記矩形集光レンズのそれぞれによって形成される前記２次光源像の大きさ及び形状に対応する寸法形状に設定されていることを特徴とする偏光照明装置。」 
　 
(c) 
「【０００９】本発明の偏光照明装置においては、複数の微小な矩形集光レンズからなる第１のレンズ板によって複数の微小な光束（２次光源像）を形成し、これらの光束を偏光方向が異なるＰ偏光光およびＳ偏光光に分離した後に、一方の偏光光または双方の偏光光の偏光面を回転させて、偏光面が揃った状態にしている。したがって、偏光方向の揃った一種類の偏光光を照射することができる。このため、光利用効率が高く高品位な照明光を得ることができる。」 
　
(d)
「【００１７】次に、第１のレンズ板により形成される２次光源像が偏光ビームスプリッタの部分に位置するように、光源部はその光源光軸がシステム光軸に対して僅かな角度をなすように配置する必要がある。この代わりに、変角プリズムを配置することで、光源光軸Ｒをシステム光軸Ｌと一致させ、光源部を傾けずに配置させることが出来る。例えば、光源部と第１のレンズ板の間に、変角レンズを配置する構成を採用することができる。変角レンズは、第１のレンズ板に対して一体化させることもできる。
【００１８】変角レンズを使用する代わりに、第１のレンズ板を構成する矩形集光レンズを偏心系のレンズとすることもできる。この代わりに、第２のレンズ板の側の集光レンズアレイを構成する集光レンズを偏心系レンズとしてもよい。第２のレンズ板の側の集光レンズアレイを構成する集光レンズを偏心系レンズとする場合には、各偏心系レンズの偏心量および反射ミラーの反射膜の角度を調整することにより、第２のレンズ板の構成要素である出射側レンズを省略することができる。」
　
(e) 
「【００３６】図１および図３を参照して説明すると、偏光分離プリズムアレイ４２０に入射したランダムな偏光光は偏光ビームスプリッター４２１により偏光方向の異なるＰ偏光光とＳ偏光光の２種類の偏光光に分離される。Ｐ偏光光は進行方向を変えずに偏光ビームスプリッター４２１をそのまま通過する。他方、Ｓ偏光光は偏光ビームスプリッター４２１の偏光分離膜４２３で反射して進行方向を約９０度変え、隣接する反射ミラー４２２（対をなす反射ミラー）の反射面４２４で反射して進行方向を約９０度変え、最終的にはＰ偏光光とほぼ平行な角度で偏光分離プリズムアレイ４２０より出射される。 
【００３７】偏光分離プリズムアレイ４２０の出射面には、λ／２位相差膜４３１が規則的に配置されたλ／２位相差板４３０が設置されている。すなわち、偏光分離プリズムアレイ４２０を構成する偏光ビームスプリッター４２１の出射面部分にのみλ／２位相差膜４３１が配置され、反射ミラー４２２の出射面部分にはλ／２位相差膜４３１は配置されていない。この様なλ／２位相差膜４３１の配置状態により、偏光ビームスプリッター４２１から出射されたＰ偏光光は、λ／２位相差膜４３１を通過する際に偏光面の回転作用を受けＳ偏光光へと変換される。他方、反射ミラー４２２から出射されたＳ偏光光はλ／２位相差膜４３１を通過しないので、偏光面の回転作用は一切受けず、Ｓ偏光光のままλ／２位相差板４３０を通過する。以上をまとめると、偏光分離プリズムアレイ４２０とλ／２位相差板４３０により、ランダムな偏光光は１種類の偏光光（この場合はＳ偏光光）に変換されたことになる。 
【００３８】このようにしてＳ偏光光に揃えられた光束は、出射側レンズ４４０により照明領域５へと導かれ、照明領域５上で重畳結合される。すなわち、第１のレンズ板３により切り出されたイメージ面は、第２のレンズ板４により照明領域５上に重畳結像される。これと同時に、途中の偏光分離プリズムアレイ４２０によりランダムな偏光光は偏光方向が異なる２種類の偏光光に空間的に分離され、λ／２位相差板４３０を通過する際に１種類の偏光光に変換されて、殆ど全ての光が照明領域５へと達する。このため、照明領域５は殆ど１種類の偏光光でほぼ均一に照明されることになる。」
　 
(f) 
「【００６０】（実施例６）上述した各実施例においては、第２のレンズ板４の構成要素の一つである偏光分離プリズムアレイ４２０に形成されている偏光ビームスプリッタ４２１の偏光分離膜４２３および反射ミラー４２２の反射面４２４は、システム光軸Ｌに対して同一方向に傾斜している。この構成を採用する代わりに、偏光分離膜４２３および反射膜４２４の傾斜方向がシステム光軸Ｌに対して左右対象となる構成を採用することもできる。
【００６１】図９には、この構成を備えた偏光分離プリズムアレイが組み込まれた偏光照明装置５００を示してある。本例の偏光照明装置５００も、前述した各実施例と同様に、システム光軸Ｌに沿って配置した光源部２、第１のレンズ板３、第２のレンズ板４から大略構成されている。光源部２から出射された光は、第１のレンズ板３により第２のレンズ板４内に集光され、第２のレンズ板４を通過する過程においてランダムな偏光光は偏光方向が揃った１種類の偏光光に変換され、照明領域５に至るようになっている。
【００６２】この偏光照明装置５００の第１のレンズ板３は、その中心側であるシステム光軸Ｌの側には、偏心レンズからなる微小集光レンズ３１１が配列され、その外側には通常の微小集光レンズ３１２が配列されている。偏心レンズからなる微小集光レンズ３１１は、システム光軸Ｌに対して軸対称に配列されて、照明領域５での明るさの均一化が図られている。
【００６３】第２のレンズ板４は、前述の各実施例と同様に、その光入射側から、集光レンズアレイ４１０、偏光分離プリズムアレイ４２０、λ／２位相差板４３０、および出射側レンズ４４０がこの順序で配列された構成となっている。第２のレンズ板４は、第１のレンズ板３による２次光源像が形成される位置の近傍の、システム光軸Ｌに対して垂直な平面内に配置されている。
【００６４】集光レンズアレイ４１０において、第１のレンズ板３の偏心レンズからなる各微小集光レンズ３１１による２次光源像の形成位置近傍には、同じく偏心レンズからなる集光レンズ４１５が配置されている。また、第１のレンズ板３の各微小集光レンズ３１２による２次光源像の形成位置近傍には、通常の同心系の集光レンズ４１６が配置されている。ここで、集光レンズアレイ４１０を構成している各集光レンズ４１５、４１６は、ここに形成される２次光源像を包含するのに充分な大きさに設定されている。すなわち、システム光軸Ｌの中心側に形成される２次光源像は、その外周側に形成される２次光源像よりも大きい。このために、本例では、システム光軸Ｌの側、すなわち集光レンズアレイ４１０の中心側に位置している偏心集光レンズ４１５の方を周辺側に位置している集光レンズ４１６に比べて大きな寸法に設定してある。
【００６５】このように、第２のレンズ板４の側の集光レンズアレイ４１０を構成している集光レンズ４１５、４１６の大きさを、第２のレンズ板の中心側のものと周辺側のものとでは変えてあるので、集光レンズアレイ４１０の出射側に配置されている偏光分離プリズムアレイ４２０に形成されている偏光ビームスプリッタ４２１Ａ、４２１Ｂおよび反射ミラー４２２Ａ、４２２Ｂの寸法もこれに対応させて、中心側のものが周辺側のものに比べて大きな寸法にしてある。
【００６６】また、本例の偏光プリズムアレイ４１０においては、システム光軸Ｌを中心として幅方向に向けて左右対称な状態で、内部に偏光分離膜４２３Ａが形成された偏光ビームスプリッタ４２１Ａが配置され、これらの両側には、内部に反射膜４２４Ａが形成された反射ミラー４２２Ａが配置されている。さらに、これらの両側には、小寸法の反射ミラー４２２Ｂが配置されている。これらの小寸法の反射ミラー４２２Ｂに形成されている反射膜４２４Ｂは、内側に位置している大きな寸法の反射ミラー４２２Ａの反射膜４２４Ａとは逆方向に傾斜している。この構成の小寸法の反射ミラー４２２Ｂの両側には、それぞれ小寸法の偏光ビームスプリッタ４２１Ｂが配置されている。これらの偏光ビームスプリッタ４２１Ｂに形成されている偏光分離膜４２３Ｂも、内側に位置している大きな寸法の偏光ビームスプリッタ４２１Ａの偏光分離膜４２３Ａとは逆方向に傾斜している。
【００６７】以上のように、第１のレンズ板３により形成される２次光源像の位置とその大きさに合わせて、集光レンズアレイ４１０を構成する集光レンズと偏光分離プリズムアレイ４２０を構成する偏光ビームスプリッタ及び反射ミラーの寸法形状を最適化することにより、光源光の利用効率を一層向上出来ると共に、第２のレンズ板４を小型化できる効果がある。」
　
　上記引用例記載事項から、引用例には、
「光源部と、
　前記光源部から出射される偏光方向がランダムな光を集光して、複数の矩形集光レンズによって複数の微小な光束（２次光源像）を形成する第１のレンズ板と、
　入射した偏光光がランダムな光を、Ｐ偏光光はそのまま通過させ、Ｓ偏光光は反射させて、偏光方向の異なるＰ偏光光とＳ偏光光の２種類の偏光光に分離する偏光ビームスプリッタと、前記偏光ビームスプリッタで反射されたＳ偏光光を反射して最終的にはＰ偏光光とほぼ平行な角度で出射する反射ミラーとから構成される偏光分離プリズムアレイと、
　前記偏光ビームスプリッタから出射されたＰ偏光光をＳ偏光光へと変換するλ／２位相差膜を有しており、
　前記第１のレンズ板により形成された複数の２次光源像はそれぞれ前記偏光ビームスプリッタの部分に位置している偏光照明装置。」（以下、「引用発明」という。）が記載されていると認められる。
　
３．対比
　そこで、本願発明と引用発明とを比較すると、引用発明の「光源部」、「前記光源部から出射される偏光方向がランダムな光」、「複数の矩形集光レンズ」、「微小な光束」、「第１のレンズ板」、「Ｐ偏光光」、「Ｓ偏光光」、「偏光分離プリズムアレイ」、「前記偏光ビームスプリッタから出射されたＰ偏光光をＳ偏光光へと変換するλ／２位相差膜」、「偏光ビームスプリッタの部分」及び「偏光照明装置」は、本願発明の「光源」、「前記光源から出射された光束」、「複数のレンズ」、「中間光束」、「光束分割手段」、「第１の偏光光束」、「第２の偏光光束」、「偏光分離手段」、「前記偏光分離手段により分離された第１の偏光光束または第２の偏光光束のうちいずれか一方の偏光光束の偏光方向と他方の偏光光束の偏光方向とを揃える偏光変換手段」、「偏光分離手段内」及び「偏光照明装置」にそれぞれ相当する。
　
　引用発明においては、第１のレンズ板により形成される複数の微小な光束（２次光源像）は、偏光ビームスプリッタによりＰ偏光光とＳ偏光光に分離され、それぞれ偏光分離プリズムアレイからほぼ平行な角度で出射されていることから、結局、光束分割手段によって形成された複数の２次光源像のそれぞれから、第１の偏光光束及び第２の偏光光束による一対の２次光源像が偏光分離手段内に分離されて形成されていることになる。
　
　すると、本願発明と引用発明とは、「光源と、前記光源から出射された光束を、複数のレンズによって複数の中間光束に分割して複数の２次光源像を形成する光束分割手段と、前記複数の中間光束のそれぞれを第１の偏光光束と第２の偏光光束とに分離してそれぞれの偏光光束を略同じ方向に出射する偏光分離手段と、前記偏光分離手段により分離された第１の偏光光束または第２の偏光光束のうちいずれか一方の偏光光束の偏光方向と他方の偏光光束の偏光方向とを揃える偏光変換手段とを有しており、前記偏光分離手段内には、前記光束分割手段によって形成された複数の２次光源像のそれぞれから、第１の偏光光束及び第２の偏光光束による一対の２次光源像が形成された偏光照明装置」である点で一致し、以下の点で相違する。
　
[相違点] 
　本願発明では、前記偏光分離手段内に形成される第１の２次光源像及び第２の２次光源像が互いに重なり合わないようにかつ密接して行方向、列方向に配置されるように、前記光束分割手段の複数のレンズ特性及び前記偏光分離手段の形状を設定したのに対し、引用発明では、そうなっていない点。
　
４．判断
　上記［相違点］について検討する。
　第１のレンズ板により光源光束を各中間光束に分割して各２次光源像を形成し、第２のレンズ板を形成する各レンズにより前記各中間光束を照射領域へ重畳結合させる方式の照明装置の技術分野において、前記第２のレンズ板を小型化するため、前記第２のレンズ板を形成する各レンズの各々の開口を各２次光源像に対して必要十分な大きさとし、かつ、前記各レンズを凝集して配列させるようにし、それにあわせて、前記第１のレンズ板の複数のレンズ特性を設定することは本願出願前に周知の技術である（例えば、特開平５−３４６５５７号公報の請求項１、【００１４】〜【００１９】、【００３２】〜【００４５】、図７、特開平８−３６１８０号公報の【０１０６】〜【０１１１】、図１１を参照。）。そして、本願発明の「互いに重なり合わないようにかつ密着して行方向、列方向に配置される」ことは、本願の当初明細書の【００４９】〜【００５４】、図９〜１３等からみて、隣接する２次光源像との間に光のない無駄な空間を極力生じないようにすることを意図していることが明らかであり、具体的には、本願図面の図１１の配置のほか、図９、図１２、図１３の配置をも含むものである。よって、前記周知技術においても、各２次光源像が互いに重なり合わないようにかつ密着して行方向、列方向に配置されているといえるから、結局、第１のレンズ板により光源光束を各中間光束に分割して各２次光源像を形成し、第２のレンズ板を形成する各レンズにより前記各中間光束を照射領域へ重畳結合させる方式の照明装置の技術分野において、前記第２のレンズ板を小型化するため、前記各２次光源像が互いに重なり合わないようにかつ密接して行方向、列方向に配置されるように、前記第１のレンズ板の複数のレンズ特性を設定することは本願出願前に周知の技術である。
　また、引用例の【００６７】には、第２のレンズ板を小型化するために、第１のレンズ板により形成される２次光源像の位置とその大きさに合わせて、集光レンズアレイを構成する集光レンズと偏光分離プリズムアレイを構成する偏光ビームスプリッタ及び反射ミラーの寸法形状を最適化する旨の記載がある。
　してみれば、引用発明において、第２のレンズ板をさらに小型化する目的で、引用例の【００６７】に記載の事項及び前記周知技術を採用し、前記偏光分離手段内に形成される第１の２次光源像及び第２の２次光源像が互いに重なり合わないようにかつ密接して行方向、列方向に配置されるように、前記光束分割手段の複数のレンズ特性及び前記偏光分離手段の形状を設定することは当業者が容易に想到し得たことである。
　
　そして、本願発明の作用効果も、引用発明及び上記周知技術から当業者が予測できる範囲のものである。 
　 
　したがって、本願発明は、引用発明及び上記周知技術に基づいて、当業者が容易に発明をすることができたものであるから、特許法第２９条第２項の規定により特許を受けることができないものである。 
　 
５．むすび 
　以上のとおり、本願発明は、引用発明及び上記周知技術に基づいて、当業者が容易に発明をすることができたものであるから、特許法第２９条第２項の規定により特許を受けることができないものである。 
　したがって、その余の請求項について論及するまでもなく、本願は、拒絶すべきものである。 
　よって、結論のとおり審決する。